【手続補正書】
【提出日】平成18年5月15日(2006.5.15)
【手続補正１】
【補正対象書類名】特許請求の範囲
【補正対象項目名】全文
【補正方法】変更
【補正の内容】
【特許請求の範囲】
【請求項１】
複数の移動通信ネットワーク間で移動通信ネットワークを選択するユーザ装置であって、
移動通信ネットワークの識別情報を含むネットワークリストを接続中の移動通信ネットワークから受信する受信手段と、
前記ネットワークリストを記憶する記憶手段と、を備えるユーザ装置。
【請求項２】
ハンドオーバを行うための移動通信ネットワークを確認するために、前記受信したネットワークリストと前記ユーザ装置が保持する第２のネットワークリストとを比較する比較手段を備える、請求項１記載のユーザ装置。
【請求項３】
前記第２のネットワークリストは使用しない移動通信ネットワークのリストである請求項２に記載のユーザ装置。
【請求項４】
前記識別情報が、ＧＳＭネットワークの識別情報であり、前記接続中の移動通信ネットワークがＵＭＴＳである請求項１に記載のユーザ装置。
【請求項５】
前記記憶手段に記憶されたネットワークリストから選択された移動通信ネットワークを示す通知を、前記接続中の移動通信ネットワークに送信する送信手段を備える請求項１に記載のユーザ装置。
【請求項６】
前記受信手段が、前記通知の示す移動通信ネットワークに関するセル情報を前記接続中の移動通信ネットワークから受信する請求項５に記載のユーザ装置。
【請求項７】
移動通信ネットワークを選択するためのネットワーク優先順位情報を記憶する手段を備える請求項１に記載のユーザ装置。
【請求項８】
前記優先順位情報を記憶する手段が着脱式である請求項７に記載のユーザ装置。
【請求項９】
前記接続中の移動通信ネットワークが第１のネットワークプロバイダによって提供され、前記識別情報に対応する移動通信ネットワークが第２のネットワークプロバイダによって提供される請求項１に記載のユーザ装置。
【請求項１０】
複数の移動通信ネットワーク間で移動通信ネットワークを選択するユーザ装置と通信する移動通信ネットワークであって、
接続中のユーザ装置に対して、移動通信ネットワークの識別情報を含むネットワークリストを送信する送信手段を備え、
前記ネットワークリストは前記接続中のユーザ装置に記憶される移動通信ネットワーク。
【請求項１１】
前記識別情報が、ＧＳＭネットワークの識別情報であり、前記移動通信ネットワークがＵＭＴＳである、請求項１０に記載の移動通信ネットワーク。
【請求項１２】
前記接続中のユーザ装置が前記ネットワークリストから選択したネットワークを示す通知を、前記接続中のユーザ装置から受信する受信手段を備える請求項１０に記載の移動通信ネットワーク。
【請求項１３】
前記通知の示すネットワークに関するセル情報を前記接続中のユーザ装置に送信する送信手段を備える請求項１２に記載の移動通信ネットワーク。
【請求項１４】
前記移動通信ネットワークが第１のネットワークプロバイダによって提供され、前記識別情報に対応する移動通信ネットワークが第２のネットワークプロバイダによって提供される請求項１０に記載の移動通信ネットワーク。
【請求項１５】
複数の移動通信ネットワーク間で移動通信ネットワークを選択するユーザ装置と前記ユーザ装置と通信する移動通信ネットワークとを備える通信システムであって、
前記ユーザ装置と接続中の移動通信ネットワークが、移動通信ネットワークの識別情報を含むネットワークリストを前記ユーザ装置に送信し、
前記ユーザ装置が、前記接続中の移動通信ネットワークから前記ネットワークリストを受信する通信システム。
【請求項１６】
前記ユーザ装置が、ハンドオーバを行うための移動通信ネットワークを確認するために、前記ネットワークリストと前記ユーザ装置が保持する第２のネットワークリストとを比較する請求項１５記載の通信システム。
【請求項１７】
前記第２のネットワークリストは使用しない移動通信ネットワークのリストである請求項１６記載の通信システム。
【請求項１８】
前記識別情報が、ＧＳＭネットワークの識別情報であり、前記接続中の移動通信ネットワークがＵＭＴＳである、請求項１５に記載の通信システム。
【請求項１９】
前記ユーザ装置が、前記受信したネットワークリストから選択した移動通信ネットワークを示す通知を、前記接続中の移動通信ネットワークに送信する請求項１５乃至１８のいずれか１つに記載の通信システム。
【請求項２０】
前記接続中の移動通信ネットワークが、前記通知の示す移動通信ネットワークに関するセル情報を、前記ユーザ装置に送信する請求項１９に記載の通信システム。
【請求項２１】
前記ユーザ装置が、移動通信ネットワークを選択するためのネットワーク優先順位情報を記憶する請求項１５に記載の通信システム。
【請求項２２】
前記接続中の移動通信ネットワークが第１のネットワークプロバイダによって提供され、前記識別情報に対応する移動通信ネットワークが第２のネットワークプロバイダによって提供される請求項１５に記載の通信システム。
【請求項２３】
複数の移動通信ネットワーク間で移動通信ネットワークを選択するユーザ装置及び前記ユーザ装置と通信する移動通信ネットワークの制御方法であって、
前記ユーザ装置と接続中の移動通信ネットワークが、移動通信ネットワークの識別情報を含むネットワークリストを前記ユーザ装置に送信し、
前記ユーザ装置が前記ネットワークリストを受信する制御方法。
【請求項２４】
前記ユーザ装置が、ハンドオーバを行うための移動通信ネットワークを確認するために、前記ネットワークリストと前記ユーザ装置が保持する第２のネットワークリストとを比較する請求項２３記載の制御方法。
【請求項２５】
前記第２のネットワークリストは使用しない移動通信ネットワークのリストである、請求項２４に記載の制御方法。
【請求項２６】
前記識別情報が、ＧＳＭネットワークの識別情報であり、前記接続中の移動通信ネットワークがＵＭＴＳである請求項２３に記載の制御方法。
【請求項２７】
前記ユーザ装置が、前記受信したネットワークリストから選択した移動通信ネットワークを示す通知を、前記接続中の移動通信ネットワークに送信する請求項２３に記載の制御方法。
【請求項２８】
前記接続中の移動通信ネットワークが、前記通知の示す移動通信ネットワークに関するセル情報を、前記ユーザ装置に送信する請求項２７に記載の制御方法。
【請求項２９】
前記ユーザ装置が、移動通信ネットワークを選択するためのネットワーク優先順位情報を記憶する請求項２３に記載の制御方法。
【請求項３０】
前記接続中の移動通信ネットワークが第１のネットワークプロバイダによって提供され、前記識別情報に対応する移動通信ネットワークが第２のネットワークプロバイダによって提供される請求項２３に記載の制御方法。
【手続補正２】
【補正対象書類名】明細書
【補正対象項目名】０００８
【補正方法】変更
【補正の内容】
【０００８】
本願発明の第１のユーザ装置は、複数の移動通信ネットワーク間で移動通信ネットワークを選択するユーザ装置であって、移動通信ネットワークの識別情報を含むネットワークリストを接続中の移動通信ネットワークから受信する受信手段と、前記ネットワークリストを記憶する記憶手段と、を備える。また、本願発明の第２のユーザ装置は、ハンドオーバを行うための移動通信ネットワークを確認するために、前記受信したネットワークリストと前記ユーザ装置が保持する第２のネットワークリストとを比較する比較手段を備える。さらに、本願発明の第３のユーザ装置では、前記第２のネットワークリストは使用しない移動通信ネットワークのリストである。
【手続補正３】
【補正対象書類名】明細書
【補正対象項目名】０００９
【補正方法】変更
【補正の内容】
【０００９】
本願発明の第４のユーザ装置では、前記識別情報が、ＧＳＭネットワークの識別情報であり、前記接続中の移動通信ネットワークがＵＭＴＳである。また、本願発明の第５のユーザ装置は、前記記憶手段に記憶されたネットワークリストから選択された移動通信ネットワークを示す通知を、前記接続中の移動通信ネットワークに送信する送信手段を備える。さらに、本願発明の第６のユーザ装置は、前記受信手段が、前記通知の示す移動通信ネットワークに関する隣接セル情報を前記接続中の移動通信ネットワークから受信する。
【手続補正４】
【補正対象書類名】明細書
【補正対象項目名】００１０
【補正方法】変更
【補正の内容】
【００１０】
本願発明の第７のユーザ装置は、移動通信ネットワークを選択するためのネットワーク優先順位情報を記憶する手段を備える。また、本願発明の第８のユーザ装置は、前記優先順位情報を記憶する手段が着脱式である。さらに、本願発明の第９のユーザ装置では、前記接続中の移動通信ネットワークが第１のネットワークプロバイダによって提供され、前記識別情報に対応する移動通信ネットワークが第２のネットワークプロバイダによって提供される。
【手続補正５】
【補正対象書類名】明細書
【補正対象項目名】００１１
【補正方法】変更
【補正の内容】
【００１１】
本願発明の第１の移動通信ネットワークは、複数の移動通信ネットワーク間で移動通信ネットワークを選択するユーザ装置と通信する移動通信ネットワークであって、接続中のユーザ装置に対して、移動通信ネットワークの識別情報を含むネットワークリストを送信する送信手段を備え、前記ネットワークリストは前記接続中のユーザ装置に記憶される。また、本願発明の第２の移動通信ネットワークでは、前記識別情報が、ＧＳＭネットワークの識別情報であり、前記移動通信ネットワークがＵＭＴＳである。さらに、本願発明の第３の移動通信ネットワークは、前記接続中のユーザ装置がネットワークリストから選択したネットワークを示す通知を、前記接続中のユーザ装置から受信する。
【手続補正６】
【補正対象書類名】明細書
【補正対象項目名】００１２
【補正方法】変更
【補正の内容】
【００１２】
本願発明の第４の移動通信ネットワークは、前記通知の示すネットワークに関する隣接セル情報を前記接続中のユーザ装置に送信する送信手段を備える。また、本願発明の第５の移動通信ネットワークでは、前記移動通信ネットワークが第１のネットワークプロバイダによって提供され、前記識別情報に対応する移動通信ネットワークが第２のネットワークプロバイダによって提供される。
【手続補正７】
【補正対象書類名】明細書
【補正対象項目名】００１３
【補正方法】変更
【補正の内容】
【００１３】
本願発明の第１の通信システムは、複数の移動通信ネットワーク間で移動通信ネットワークを選択するユーザ装置と前記ユーザ装置と通信する移動通信ネットワークとを備える通信システムであって、前記ユーザ装置と接続中の移動通信ネットワークが、移動通信ネットワークの識別情報を含むネットワークリストを前記ユーザ装置に送信し、前記ユーザ装置が、前記接続中の移動通信ネットワークから前記ネットワークリストを受信する。また、本願発明の第２の通信システムは、前記ユーザ装置が、ハンドオーバを行うための移動通信ネットワークを確認するために、前記ネットワークリストと前記ユーザ装置が保持する第２のネットワークリストとを比較する。さらに、本願発明の第３の通信システムでは、前記第２のネットワークリストは使用しない移動通信ネットワークのリストである。
【手続補正８】
【補正対象書類名】明細書
【補正対象項目名】００１４
【補正方法】変更
【補正の内容】
【００１４】
本願発明の第４の通信システムでは、前記識別情報が、ＧＳＭネットワークの識別情報であり、前記接続中の移動通信ネットワークがＵＭＴＳである。また、本願発明の第５の通信システムは、前記ユーザ装置が、前記受信したネットワークリストから選択した移動通信ネットワークを示す通知を、前記接続中の移動通信ネットワークに送信する。さらに、本願発明の第６の通信システムは、前記接続中の移動通信ネットワークが、前記通知の示す移動通信ネットワークに関する隣接セル情報を、前記ユーザ装置に送信する。
【手続補正９】
【補正対象書類名】明細書
【補正対象項目名】００１５
【補正方法】変更
【補正の内容】
【００１５】
本願発明の第７の通信システムは、前記ユーザ装置が、移動通信ネットワークを選択するためのネットワーク優先順位情報を記憶する。また、本願発明の第８の通信システムでは、前記接続中の移動通信ネットワークが第１のネットワークプロバイダによって提供され、前記識別情報に対応する移動通信ネットワークが第２のネットワークプロバイダによって提供される。
【手続補正１０】
【補正対象書類名】明細書
【補正対象項目名】００１６
【補正方法】変更
【補正の内容】
【００１６】
本願発明の第1の制御方法は、複数の移動通信ネットワーク間で移動通信ネットワークを選択するユーザ装置及び前記ユーザ装置と通信する移動通信ネットワークの制御方法であって、前記ユーザ装置と接続中の移動通信ネットワークが、移動通信ネットワークの識別情報を含むネットワークリストを前記ユーザ装置に送信し、前記ユーザ装置が前記ネットワークリストを受信する。また、本願発明の第２の制御方法は、前記ユーザ装置が、ハンドオーバを行うための移動通信ネットワークを確認するために、前記ネットワークリストと前記ユーザ装置が保持する第２のネットワークリストとを比較する。さらに、本願発明の第３の制御方法では、前記第２のネットワークリストは使用しない移動通信ネットワークのリストである。
【手続補正１１】
【補正対象書類名】明細書
【補正対象項目名】００１７
【補正方法】変更
【補正の内容】
【００１７】
本願発明の第４の制御方法では、前記識別情報が、ＧＳＭネットワークの識別情報であり、前記接続中の移動通信ネットワークがＵＭＴＳである。また、本願発明の第５の制御方法は、前記ユーザ装置が、前記受信したネットワークリストから選択した移動通信ネットワークを示す通知を、前記接続中の移動通信ネットワークに送信する。さらに、本願発明の第６の制御方法は、前記接続中の移動通信ネットワークが、前記通知の示す移動通信ネットワークに関する隣接セル情報を、前記ユーザ装置に送信する。
【手続補正１２】
【補正対象書類名】明細書
【補正対象項目名】００１８
【補正方法】変更
【補正の内容】
【００１８】
本願発明の第７の制御方法では、前記ユーザ装置が、移動通信ネットワークを選択するためのネットワーク優先順位情報を記憶する。また、本願発明の第８の制御方法では、前記接続中の移動通信ネットワークが第１のネットワークプロバイダによって提供され、前記識別情報に対応する移動通信ネットワークが第２のネットワークプロバイダによって提供される。